(57)【特許請求の範囲】
【請求項１】
ハンズフリーセットを備えるとともに複数の携帯電話機と通信可能な車両用ハンズフリー電話装置であって、
前記車両の始動手段から発生されるコードと携帯電話機との関係を登録する登録手段と、
前記始動手段により前記車両の始動に伴なう操作がなされたとき同始動手段から前記コードを受信し、同受信したコードと前記登録手段に登録された関係とに基いて携帯電話機を選択する選択手段とを備え、
前記選択された携帯電話機を介してハンズフリー状態での通話を行うように構成したハンズフリー電話装置。
【発明の詳細な説明】
【０００１】
【発明の属する技術分野】
本発明は、ハンズフリーセットを備えるとともに複数の携帯電話機と通信可能なハンズフリー電話装置に関する。
【０００２】
【従来の技術】
従来から、マイクロフォン及びスピーカからなるハンズフリーセットを備えるとともに特定の携帯電話機と通信を行い、同携帯電話機を介した外部との通話をハンズフリーの状態で行えるようにする車両用ハンズフリー電話装置が知られている。特に、特開平１１−０９８５７８号公報に開示されているハンズフリー電話装置においては、同ハンズフリー電話装置が、通信送受信有効範囲内に進入した他車両の携帯電話機を介してハンズフリー通話を行ってしまうことを防止するため、例えば、着信があった携帯電話機からハンズフリー電話装置にＩＤコードを送信させ、同ハンズフリー電話装置は受信したＩＤコードが自己の記憶するＩＤコードと一致した場合にのみ、同携帯電話機を介したハンズフリー通話を実行するようになっている。
【０００３】
【発明が解決しようとする課題】
しかしながら、上記開示されたハンズフリー電話装置においては、ハンズフリー通話可能な携帯電話機が一台に限定され、他の携帯電話機を介したハンズフリー通話を行うことができないので、同ハンズフリー電話装置を有効に活用できないという問題がある。
【０００４】
【本発明の概要】
本明細書に開示された電話装置の特徴の一つは、ハンズフリーセットを備えるとともに複数の携帯電話機と通信可能なハンズフリー電話装置が、携帯電話機を特定する情報により同携帯電話機をハンズフリー通話用の携帯電話機として登録する登録手段と、前記登録された携帯電話機が複数ある場合に同携帯電話機の一つを選択する選択手段とを備え、前記選択された携帯電話機を介してハンズフリー状態での通話を行うように構成されたことにある。
【０００５】
これによれば、複数の携帯電話機と通信可能であるハンズフリー電話装置は、登録手段によりハンズフリー状態での通話を行うための携帯電話機を複数登録するとともに、登録された携帯電話機の中から一の携帯電話機を選択し、同携帯電話機を介してハンズフリー状態での通話を行う。従って、一台のハンズフリー電話装置は、登録された複数の携帯電話機の何れかを使用してハンズフリー通話を行うことが可能となる。
【０００６】
ところで、上記のように複数台の携帯電話機の登録を認めると、何れかの携帯電話機に着信があったときにハンズフリー通話が開始され、ユーザがハンズフリー通話を希望する携帯電話機に着信があったときに同希望する携帯電話機を介するハンズフリー通話が行えないという問題がある。例えば、車両に搭載されたハンズフリー電話装置においては、本来的には運転者の携帯電話機を介してのハンズフリー通話が優先されるべきであるが、他の乗員の携帯電話機への着信があると、同運転者の携帯電話機を介してのハンズフリー通話ができなくなる。
【０００７】
そこで、前記登録手段は携帯電話機を優先順位とともに登録するように構成され、前記選択手段は前記優先順位に従って携帯電話機を選択するように構成されることが好適である。
【０００８】
これによれば、優先順位に従ってハンズフリー通話の際の携帯電話機が選択されるので、優先順位の低い携帯電話機への着信によりハンズフリー通話が開始されてしまうことによって、優先順位の高い携帯電話機への着信があったときにハンズフリー通話ができないという事態が回避され得る。
【０００９】
また、この場合において、前記登録手段が前記優先順位を変更する優先順位変更手段を含むことが好適である。
【００１０】
これによれば、ハンズフリー通話を必要とする者（例えば、運転者）に相応しい優先順位を設定でき、この優先順位に従ってハンズフリー通話用の携帯電話機を選択することができるので、ハンズフリー電話装置の利便性が一層向上する。
【００１１】
また、本発明の特徴は、ハンズフリーセットを備えるとともに複数の携帯電話機と通信可能な車両用ハンズフリー電話装置が、前記車両の始動手段から発生されるコードと携帯電話機との関係を登録する登録手段と、前記始動手段により前記車両の始動に伴なう操作がなされたとき同始動手段から前記コードを受信し、同受信したコードと前記登録手段に登録された関係とに基いて携帯電話機を選択する選択手段とを備え、前記選択された携帯電話機を介してハンズフリー状態での通話を行うように構成されたことにある。
【００１２】
これによれば、車両のキー等の始動手段により同車両の始動に伴なう操作（エンジンの始動、ドアロックの解除等）がなされると、同キーに対応した携帯電話機がハンズフリー通話時に選択されるようになる。この選択には、既に登録されている携帯電話機の中から同キーに対応した携帯電話機を特定し、その優先順位を最も高いものとして設定するとともに、ハンズフリー通話時において前記優先順位に従って携帯電話機を選択することが含まれる。
【００１３】
この結果、運転者は自己の始動手段により車両を始動するだけで、自己の携帯電話機をハンズフリー通話時に使用する携帯電話機として設定することが可能となり、ハンズフリー電話装置の利便性が一層向上する。
【００１４】
【発明の実施の形態】
以下、図面を参照しながら本発明による車両用ハンズフリー電話装置の各実施形態について説明する。第１実施形態に係るハンズフリー電話装置は、図１の概略ブロック図に示したように、マイクロコンピュータ（図示省略）を含むハンズフリーコントローラ１０（以下、単に「コントローラ」と称呼する。）と、このコントローラ１０に接続されたハンズフリーセットを構成するマイクロフォン１１及びスピーカ１２、ディスプレイ１３、及びテンキーを含む複数の操作スイッチからなる操作パネル１４とを備えている。また、コントローラ１０は、図示を省略したBluetoothモジュール（通信モジュール）を内蔵している。
【００１５】
一方、携帯電話機２０−１，２０−２，…２０−ｎの各々もBluetoothモジュールを搭載している。従って、コントローラ１０と携帯電話機２０−１，２０−２，…２０−ｎの各々は、Bluetoothの通信規格に従って無線通信可能となっていて、相互の距離が略１０ｍ以内であればピコネットと呼ばれる無線ＬＡＮを構築できるようになっている。Bluetoothは、２．４ＧＨｚのＩＳＭバンドを利用した周波数ホッピング型のスペクトラム拡散通信方式を採用していて、その規格は一般に公開されている。
【００１６】
ピコネット内において、前記コントローラ１０はマスタとして機能し、前記携帯電話機２０−１，２０−２，…２０−ｎはスレーブとして機能する。コントローラ１０は所定時間の経過毎に問い合わせ（インクワイアリ）を行い、如何なる携帯電話機がピコネットを構成しているかを調査し、ピコネットを構成する携帯電話機を各携帯電話機の電話番号（各携帯電話機を特定する情報）とともに認識するようになっている。
【００１７】
次に、上記のように構成されたハンズフリー電話装置の作動について説明する。
（登録モード）
先ず、携帯電話機をコントローラ１０に登録する場合から説明すると、コントローラ１０は、所定時間の経過毎に図２に示した登録ルーチン（登録手段の機能を達成するルーチン）を繰り返し実行するようになっている。従って、所定のタイミングとなると、コントローラ１０はステップ２００から処理を開始し、ステップ２０５に進んで現在が携帯電話機の登録モードであるか否かを判定する。登録モードであるか否かは、操作パネル１４の登録モードスイッチが押動操作されたか否かにより判定される。なお、マイクロフォン１１から入力される音声、ディスプレイ１３に表示された擬似ボタンの操作、又は既に登録されている携帯電話機２０−１，２０−２，…２０−ｎの特定操作に基く通信信号等により登録モードに移行できるように構成してもよい。
【００１８】
いま、登録モードでないとすると、コントローラ１０はステップ２０５にて「Ｎｏ」と判定してステップ２９５に進み、同ステップ２９５にて本ルーチンを一旦終了する。一方、登録モードである場合、コントローラ１０はステップ２０５にて「Ｙｅｓ」と判定してステップ２１０に進み、同ステップ２１０にて既に登録されている携帯電話機の台数が最大登録可能台数であるｎ台であるか否かを判定する。
【００１９】
そして、携帯電話機の登録台数がｎ台未満である場合、コントローラ１０はステップ２１０にて「Ｎｏ」と判定してステップ２１５に進む。他方、携帯電話機の登録台数がｎ台である場合、コントローラ１０はステップ２１０にて「Ｙｅｓ」と判定してステップ２２０に進み、同ステップ２２０にてディスプレイ１３に既登録の携帯電話機の一つを抹消することを促す画面を表示する。この画面は、既登録の携帯電話機の電話番号（即ち、各携帯電話機を特定する情報又はコード）と、登録の抹消を希望する携帯電話機の電話番号を選択することを促す文章とを含んでいる。
【００２０】
次いで、コントローラはステップ２２５に進み、同ステップ２２５にて登録の抹消を希望する携帯電話機の電話番号の入力が完了したか否かを判定する。そして、ユーザが上記ディスプレイ１３に表示された携帯電話機の電話番号の一つに触れたとき、操作パネル１４の操作スイッチにより登録抹消希望の携帯電話機の電話番号を入力したとき、マイクロフォン１１を介して同登録抹消希望の携帯電話機の電話番号を音声入力したとき、又は既に登録されている携帯電話機２０−１，２０−２，…２０−ｎの特定操作に基いて同登録抹消希望の携帯電話機の電話番号を入力したとき、コントローラ１０はステップ２２５にて「Ｙｅｓ」と判定してステップ２３０に進み、同ステップ２３０にて前記入力された電話番号に対応する携帯電話機の登録を抹消する。
【００２１】
次いで、コントローラ１０はステップ２１５に進み、同ステップ２１５にて登録を希望する携帯電話機の電話番号の入力を促す画面をディスプレイ１３に表示する。この電話番号入力促進画面は、擬似テンキーと登録を希望する携帯電話機の電話番号の入力を促す文章を含んでいる。続いて、コントローラ１０は、ステップ２３５にて登録を希望する携帯電話機の電話番号の入力が完了したか否かを判定する。
【００２２】
ユーザが登録を希望する携帯電話機の電話番号を上記ディスプレイ１３に表示された擬似テンキーにより、操作パネル１４の操作スイッチにより、マイクロフォン１１を介した音声により、又は既に登録されている携帯電話機２０−１，２０−２，…２０−ｎの特定操作により入力すると、コントローラ１０はステップ２３５にて「Ｙｅｓ」と判定してステップ２４０に進み、同ステップ２４０にて前記入力された電話番号に対応する携帯電話機の登録を行う。このとき、新たに登録された電話番号の携帯電話機は、既に登録されている携帯電話機よりも優先順位が低いものとして登録される。
【００２３】
次いで、コントローラ１０はステップ２４５に進み、同ステップ２４５にて優先順位を変更する希望があるか否かを問い合わせる画面をディスプレイ１３に表示する。この優先順位変更希望の問合せ画面は、優先順位を変更することを望む場合に行うべき操作、及び優先順位の変更を希望しない場合に行うべき操作についての操作説明文章を含んでいる。本例では、ディスプレイ１３上に「優先順位の変更を希望する」との表示を有する擬似ボタンと、「優先順位の変更を希望しない」との表示を有する擬似ボタンとが表示されるとともに、何れかの擬似ボタンの選択を促す文章が表示される。続いて、コントローラ１０はステップ２５０に進み、優先順位変更の希望有無についての入力がなされたか否かを判定する。
【００２４】
ユーザが上記ディスプレイ１３に表示された操作説明文章に従って優先順位変更希望についての操作を行うと、コントローラ１０はステップ２５０にて「Ｙｅｓ」と判定してステップ２５５に進み、同ステップ２５５にて優先順位の変更が希望されたか否かを判定する。このとき、ユーザが「優先順位の変更を希望しない」と表示された擬似ボタンに触れていれば、コントローラ１０はステップ２５５にて「Ｎｏ」と判定してステップ２７５に進み、同ステップ２７５にて登録モードを終了する処理を行い、その後ステップ２９５に進んで本ルーチンを一旦終了する。
【００２５】
一方、ユーザが「優先順位の変更を希望する」と表示された擬似ボタンに触れていれば、コントローラ１０はステップ２５５にて「Ｙｅｓ」と判定してステップ２６０に進み、同ステップ２６０にて優先順位についての情報の入力を補助する画面をディスプレイ１３に表示する。この優先順位入力補助画面は、登録されている携帯電話機の電話番号と、各電話番号に対応した優先順位を示す数字と、優先順位を変更するための擬似操作ボタンと、優先順位変更指示完了擬似ボタンとを含んでいる。次いで、コントローラ１０はステップ２６５に進み、優先順位の変更指示が完了したか否かを判定する。
【００２６】
そして、ユーザが新たな優先順位をディスプレイ１３の擬似操作ボタンにより、操作パネル１４の操作スイッチにより、マイクロフォン１１を介した音声により、又は既に登録されている携帯電話機２０−１，２０−２，…２０−ｎの特定操作により入力するとともに、優先順位変更指示完了擬似ボタンを操作すると、コントローラ１０はステップ２６５にて「Ｙｅｓ」と判定してステップ２７０に進み、同ステップ２７０にて上記入力に応じて優先順位の変更を行う。次いで、コントローラ１０はステップ２７５に進んで登録モードを終了する処理を行い、その後ステップ２９５に進んで本ルーチンを一旦終了する。以上により、ハンズフリー電話装置への携帯電話機の登録及び優先順位の設定・変更が終了する。なお、上記ステップ２５０〜２７０は、優先順位変更手段の機能を達成するステップである。
【００２７】
（ハンズフリー送話モード）
次に、ハンズフリー電話装置を使用して車両の外部の電話機を呼び出すとともにハンズフリー通話を行う際の作動について説明する。この場合も、コントローラ１０は所定時間の経過毎に図３に示したハンズフリー送話ルーチンを繰り返し実行するようになっている。従って、所定のタイミングとなると、コントローラ１０はステップ３００から処理を開始し、ステップ３０５に進んでハンズフリー送話モードであるか否かを判定する。ハンズフリー送話モードであるか否かは、操作パネル１４のハンズフリー送話モードスイッチが押動操作されたか否かにより判定される。なお、マイクロフォン１１から入力される音声により、又はディスプレイ１３に表示された擬似ボタンの操作によりハンズフリー送話モードに移行できるように構成してもよい。
【００２８】
いま、ハンズフリー通話モードであると、コントローラ１０はステップ３１０に進んで発信電話番号（相手先の電話番号）の入力を促す画面を擬似テンキーとともにディスプレイ１３に表示し、ステップ３１５にて同発信電話番号の入力が完了したか否かを判定する。
【００２９】
ユーザが前記発信電話番号を上記ディスプレイ１３に表示された擬似テンキーにより、操作パネル１４の操作スイッチにより、又はマイクロフォン１１を介した音声により入力すると、コントローラ１０はステップ３１５にて「Ｙｅｓ」と判定してステップ３２０に進み、登録された優先順位の最も高い（優先順位１）の携帯電話機が同コントローラ１０のピコネット内に存在しているか否かを判定する。これは、マスタであるコントローラ１０が同コントローラ１０の形成するピコネット内にスレーブとして（通信可能な携帯電話機として）存在していると認識している携帯電話機（の電話番号）の中に、先に登録された優先順位１の携帯電話機（の電話番号）と一致するものがあるか否かにより判定される。
【００３０】
そして、優先順位１の携帯電話機が存在するとき、コントローラ１０はステップ３２０にて「Ｙｅｓ」と判定してステップ３２５に進み、同ステップ３２５にて同優先順位１の携帯電話機を選択し、ステップ３３０に進んで前記発信番号等を同選択された携帯電話機に送信するとともに、同選択された携帯電話機から通信が正常であるか否かのコードを受信する。そして、コントローラ１０はステップ３３５に進み、前記選択された携帯電話機との通信が正常であるか否かを判定し、同通信が正常に行われていればステップ３３５にて「Ｙｅｓ」と判定してステップ３４０に進み、同ステップ３４０にて前記選択された携帯電話機を介して前記入力された発信電話番号を外部に発信するとともに、ステップ３４５にて同選択された携帯電話機を介してハンズフリーでの通話を行う。この後、コントローラ１０はステップ３５０にてハンズフリーによる通話が終了したか否かモニタし、同通話が終了したときはステップ３５５に進んでハンズフリー通話終了処理を行い、ステップ３９５にて本ルーチンを一旦終了する。
【００３１】
また、コントローラは選択された携帯電話機との通信が正常でないとき、先のステップ３３５にて「Ｎｏ」と判定してステップ３６０に進み、同ステップ３６０にて前記選択された携帯電話機との通信が中止されたか否かを判定する。このとき、前記選択された携帯電話機の主電源スイッチが「オフ」された等の理由により通信が中止されていれば、コントローラ１０はステップ３５５に進んでハンズフリー通話を終了し、ステップ３９５に進んで本ルーチンを一旦終了する。一方、先のステップ３６０にて通信が中止されていないとき、コントローラ１０はステップ３３０に戻って再び選択された携帯電話機との通信を行う。このように、ステップ３３０，３３５，３６０は、選択された携帯電話機との通信が正常か否かを判定し、正常となったときにハンズフリー通話を行うためのステップである。
【００３２】
ところで、先のステップ３２０にて「Ｎｏ」と判定される場合、即ち、優先順位１の携帯電話機がコントローラ１０のピコネット内に存在していない場合、コントローラ１０はステップ３６５に進んで、次に優先順位の高い（優先順位２）の携帯電話機が同コントローラ１０のピコネット内に存在しているか否かを判定する。そして、優先順位２の携帯電話機が存在するとき、コントローラ１０はステップ３７０に進んで同優先順位２の携帯電話機を選択し、ステップ３３０以降に進んで同選択された携帯電話機を介したハンズフリーでの通話を行う。
【００３３】
また、先のステップ３６５にて「Ｎｏ」と判定される場合、即ち、優先順位２の携帯電話機がコントローラ１０のピコネット内に存在していない場合、コントローラ１０はステップ３６５にて「Ｎｏ」と判定し、図示を省略したステップに進んで次に優先順位の高い（優先順位３）の携帯電話機が同コントローラ１０のピコネット内に存在しているか否かを判定し、存在していれば同携帯電話機を選択してハンズフリー通話を行う。
【００３４】
このように、コントローラ１０はピコネット内に存在している携帯電話機の中から、コントローラ１０に登録され且つ優先順位の最も高いものを選択し、選択した携帯電話機を介してハンズフリー通話を行う。そして、優先順位ｎの携帯電話機まで調査した結果、該当する携帯電話機がピコネット内に存在しない場合、コントローラ１０はステップ３７５にて「Ｎｏ」と判定してステップ３５５に進み、同ステップ３５５にて入力された発信電話番号を消去するなどのハンズフリー通話終了処理を行い、その後、ステップ３９５に進んで本ルーチンを一旦終了する。このように、ステップ３２０及び３２５、ステップ３６５及び３７０…ステップ３７５等のステップは、登録された携帯電話機が複数ある場合に優先順位に従って一の携帯電話機を選択する選択手段の機能を達成するステップである。なお、登録されている携帯電話機の台数がｎ台よりも少ないｋ台である場合、コントローラ１０は上記携帯電話機の調査・選択を優先順位ｋまで行ったときに終了する。
【００３５】
（ハンズフリー受話モード）
次に、外部から携帯電話機に着信があったときにハンズフリー電話装置を使用してハンズフリー通話を行う際の作動について説明すると、コントローラ１０は所定時間の経過毎に図４に示したハンズフリー受話ルーチンを繰り返し実行するようになっている。従って、所定のタイミングとなると、コントローラ１０はステップ４００から処理を開始し、ステップ４０５に進んでピコネット内に存在する携帯電話機に対して着信があったか否かの問い合わせを行う。この時点において、ピコネット内に存在する携帯電話機に対する着信がなければ、コントローラ１０はステップ４０５にて「Ｎｏ」と判定してステップ４９５に進み、本ルーチンを一旦終了する。
【００３６】
一方、ステップ４０５の実行時点において、ピコネット内の携帯電話機に着信があり、その携帯電話機が同ピコネット内に存在している携帯電話機の中で優先順位が最も高いものとしてコントローラ１０に登録されているとして説明を続けると、コントローラ１０はステップ４０５にて「Ｙｅｓ」と判定してステップ４１０に進み、着信があった携帯電話機がコントローラ１０に登録されている携帯電話機であるか否かを判定する。
【００３７】
この場合、着信があった携帯電話機はコントローラ１０に登録されている携帯電話機であるから、同コントローラ１０はステップ４１０にて「Ｙｅｓ」と判定してステップ４１５に進み、同ステップ４１５にて着信があった携帯電話機よりも優先順位が高い携帯電話機がピコネット内に存在しているか否かを判定する。
【００３８】
この場合、着信があった携帯電話機はピコネット内に存在している携帯電話機の中で優先順位が最も高いから、コントローラ１０はステップ４１５にて「Ｎｏ」と判定してステップ４２０に進み、同ステップ４２０にて着信のあった携帯電話機と通信を行って通話可能状態とし、続くステップ４２５にて同着信のあった携帯電話機を介したハンズフリー通話を行う。そして、ステップ４３０にてハンズフリーによる通話が終了したか否かモニタし、同通話が終了したときはステップ４３５に進んでハンズフリー通話終了処理を行い、ステップ４９５にて本ルーチンを一旦終了する。このように、ステップ４１５は、優先順位に従って携帯電話機を選択する選択手段の機能を達成している。
【００３９】
次に、ピコネット内の携帯電話機に着信があったが、その携帯電話機がコントローラ１０に登録されていない場合について説明すると、この場合、コントローラ１０はステップ４１０にて「Ｎｏ」と判定してステップ４９５に進み、同ステップ４９５にて本ルーチンを一旦終了する。従って、コントローラ１０に登録されていない携帯電話機に着信があってもハンズフリー通話は実行されない。
【００４０】
また、ピコネット内の携帯電話機であって、コントローラ１０に登録されている携帯電話機に着信があったが、その携帯電話機が同ピコネット内の携帯電話機の中で優先順位が最も高いものではない場合（即ち、ピコネット内に優先順位がより高い携帯電話機が存在している場合）について説明すると、この場合、コントローラ１０はステップ４０５，４１０に続くステップ４１５にて「Ｙｅｓ」と判定してステップ４９５に進み、同ステップ４９５にて本ルーチンを一旦終了する。従って、この場合にもハンズフリー通話は実行されない。
【００４１】
以上、説明したように、本発明の第１実施形態によれば、ユーザがハンズフリー電話装置を用いて外部に電話をかける際、コントローラ１０はピコネット内に存在している携帯電話機のうち、ユーザによって予め同コントローラに登録され、且つ同ユーザにより予め定められた優先順位の最も高い携帯電話機を用いてハンズフリー通話を行う。従って、ハンズフリー電話装置を用いて外部に電話をかける際に、予期しない携帯電話機が使用されることがない。また、一般に、ハンズフリー通話は運転者にとって必要なものであるから、同運転者の携帯電話機の優先順位を最も高く設定・登録しておけば、運転者によるハンズフリー通話が同乗他者の携帯電話機を介して行われるという事態が回避され得る。
【００４２】
また、第１実施形態によれば、ピコネット内にある（コントローラ１０と無線ＬＡＮを構成している）携帯電話機の一つに着信があったとき、その携帯電話機がコントローラ１０に登録されたものであって、且つピコネット内に存在している携帯電話機のうちで優先順位が最も高いものであるときに限り、同携帯電話機を介してハンズフリー通話を行う。従って、ハンズフリー通話を必要とする者（例えば、運転者）の携帯電話機の優先順位を最も高く設定・登録しておけば、同携帯電話機に着信があったとき同携帯電話機を介してのハンズフリー通話を確実に行うことができる。
【００４３】
次に、本発明によるハンズフリー電話装置の第２実施形態について説明する。この第２実施形態は、図５に示したように、第１実施形態のハンズフリーコントローラ１０に対して通信可能に接続されたエンジンコントローラ３０と、同エンジンコントローラ３０に対して車両のエンジンを始動させるための始動手段としてのキー（イグニッションキー）３１とを含んで構成されている。キー３１は、運転者が同キー３１を用いてエンジンコントローラ３０によるエンジン始動のための操作を行ったとき、及び同キー３１が備える押ボタン３１ａを操作したとき、同キー３１を特定するためのキーコードをエンジンコントローラ３０に対して発信するようになっている。エンジンコントローラ３０は、キー３１から送信されたキーコードを受信すると、このキーコードが予め登録されているキーコードと一致するか否かを判定し、一致する場合（即ち、正規のキー３１であると判定した場合）ハンズフリーコントローラ１０に対して同キーコードを送信するようになっている。
【００４４】
次に、上記実施形態の作動について説明すると、コントローラ１０は図２〜図４に示した各ルーチンの実行に加えて、図６及び図７のフローチャートにより示したルーチンを所定時間の経過毎に実行するようになっている。
【００４５】
先ず、ユーザが各キー（マスタキー、第１スペアキー、第２スペアキー等）と同キーの所持者の携帯電話機とを関連付ける際に実行するキー登録モードについて説明する。
【００４６】
コントローラ１０は、所定のタイミングになるとステップ６００から図６に示したルーチンの処理を開始してステップ６０５に進み、現在がキー登録モードであるか否かを判定する。いま、ユーザが操作パネル１４を操作してキー登録モードとしているとして説明を続けると、コントローラ１０はステップ６０５にて「Ｙｅｓ」と判定してステップ６１０に進み、同ステップ６１０にてキーコードの入力を（キー３１の押ボタン３１ａの操作を）促すための画面をディスプレイ１３に表示する。次いで、コントローラ１０はステップ６１５に進み、キーコードをエンジンコントローラ３０から受信したか否かを判定する。
【００４７】
このとき、ユーザがキー３１の押ボタン３１ａを操作すると、同キー３１に特有のキーコードがエンジンコントローラ３０を介してコントローラ１０に送信される。この結果、コントローラ１０はステップ６１５にて「Ｙｅｓ」と判定してステップ６２０に進み、同ステップ６２０にて携帯電話番号の入力をユーザに促す画面をディスプレイ１３に表示し、続くステップ６２０にて同携帯電話番号の入力が完了したか否かを判定する。
【００４８】
この状態でユーザが、そのキー３１に対応させたい携帯電話機の電話番号を上記ディスプレイ１３に表示された擬似テンキーにより、操作パネル１４の操作スイッチにより、又はマイクロフォン１１を介した音声により入力すると、コントローラ１０はステップ６２５にて「Ｙｅｓ」と判定してステップ６３０に進み、同ステップ６３０にて前記受信したキーコードと前記入力された携帯電話番号とを関連付け、両者の関係を図示しない不揮発性メモリ内に格納しておく。このように、ステップ６００〜ステップ６３０は車両の始動手段から発生されるコードと携帯電話機との関係を登録する登録手段の機能を達成している。
【００４９】
次いで、コントローラ１０はステップ６３５に進んで、ユーザによりキー登録を終了する操作が操作パネル１４によりなされたか否かを判定し、終了操作がなされればステップ６９５に進んで本ルーチンを一旦終了する。また、終了操作がなされず、継続を希望する旨の操作が操作パネル１４によりなされると、同ステップ６３５にて「Ｎｏ」と判定して上記ステップ６１０に戻り、以降において別のキー登録を行う。以上により、キー３１とその所持者の携帯電話機との関連がコントローラ１０に登録される。なお、上記ステップ６０５の実行時点において、ユーザがキー登録モードを選択していない場合、コントローラ１０はステップ６９５に進んで本ルーチンを終了する。
【００５０】
次に、運転者が車両（エンジン）を始動させるためキー３１を操作したときの作動について説明すると、コントローラ１０は、所定のタイミングにて図７のステップ７００から処理を開始し、ステップ７０５に進んで現在がキー登録モードであるか否かを判定する。
【００５１】
この場合、キー登録モードではないので、コントローラ１０はステップ７０５にて「Ｎｏ」と判定してステップ７１０に進み、同ステップ７１０にてエンジンコントローラ３０からキーコードを受信したか否かを判定する。上述したように、運転者がエンジンを始動させようとして正規のキー３１を操作した場合、エンジンコントローラ３０はキー３１からキーコードを受信し、同キーコードをコントローラ１０に送信する。
【００５２】
従って、コントローラ１０はステップ７１０にて「Ｙｅｓ」と判定してステップ７１５に進み、同ステップ７１５にて受信したキーコードに対応した携帯電話機を前記キー登録モードにおいて不揮発性メモリに記憶させたキー３１と携帯電話機との関係に基いて特定し、特定した携帯電話機の優先度を最も高い優先度（優先度１）に設定する。次いで、コントローラ１０はステップ７９５に進み、同ステップ７９５にて本ルーチンを一旦終了する。このように、ステップ７０５〜７１５は、始動手段により前記車両の始動に伴う操作がなされたとき、同始動手段から同始動手段を特定するコードを受信し、同受信したコードと前記登録手段に登録された関係とに基いて携帯電話機を選択する選択手段の機能を達成している。
【００５３】
この結果、ハンズフリー電話装置を使用して外部に電話をかける場合、図３のステップ３２０，３２５の実行によりエンジン始動に使用されたキー３１（の所持者）に対応した携帯電話機が選択される。また、この携帯電話機に着信があったときは図４のステップ４１５にて「Ｎｏ」と判定されることにより、同携帯電話機を介するハンズフリー通話がなされるとともに、同携帯電話機以外の携帯電話機に着信があったときはステップ４１５にて「Ｙｅｓ」と判定され、ハンズフリー通話は開始されない。
【００５４】
なお、操作パネル１４が操作されてキー登録モードにある場合、コントローラはステップ７０５にて「Ｙｅｓ」と判定してステップ７９５に直接進み、本ルーチンを直ちに終了する。
【００５５】
以上説明したように、第２実施形態によれば、エンジン始動に使用されるキー３１とそのキーの所持者の携帯電話機との関係が予めコントローラ１０に登録可能となっていて、キー３１によりエンジン始動操作がなされたとき、自動的にそのキー３１の所持者の携帯電話機の優先度が最も高くなるように構成されている。通常、ハンズフリー通話を必要とするのは運転者であり、また運転者は自分のキー３１にてエンジンを始動させるから、上記構成により運転者の携帯電話機によるハンズフリー通話が自動的になされ得ることになるので、異なる者が運転を開始する毎に携帯電話機の優先順位を変更するという煩雑さをなくすことができる。
【００５６】
なお、上記第２実施形態においては、予め登録されている携帯電話機とその優先度との関係を示すデータは一つのセットのみであったが、このような関係を複数セット分独立して登録可能に構成するとともに、キー３１によりエンジン始動操作がなされたとき、そのキー３１に対応したセットを同キー３１と関連付けられている携帯電話番号を基に読み出し、ハンズフリー通話の際に同セットに示される優先順位に従って携帯電話機を選択するように構成してもよい。
【００５７】
以上、説明したように、上記本発明の各実施形態によれば、ハンズフリー用の携帯電話機として登録された複数の携帯電話機を、予め登録された優先順位に従って選択するので、適切な携帯電話機を介したハンズフリー通話を行うことが可能となる。
【００５８】
なお、本発明は上記実施形態に限定されることはなく、本発明の範囲内において種々の変形例を採用することができる。例えば、ディスプレイ１３に表示される各操作の促進画面が表示されたとき、音声による操作説明がなされるように構成してもよい。また、上記各実施形態では、Bluetoothを用いて無線ＬＡＮを構成していたが、HomeRF、IEEE802.11b等の他の通信規格により無線ＬＡＮを構成してもよい。また、上記実施形態においては、携帯電話機の電話番号が各携帯電話機を特定する情報として用いられていたが、電話番号に代え他のIDコードを用いてもよい。
【００５９】
また、上記第２実施形態においては、エンジンコントローラ３０が、キー３１のキーコード確認とコントローラ１０への送信を行っていたが、ワイヤレスドアロックコントローラ、ボディコントローラ等の他の制御ユニットにより同キー３１の確認及びコントローラ１０への送信を行うように構成してもよく、キー３１から直接コントローラ１０へ送信し、同コントローラ１０内で同キー３１の確認を行うように構成してもよい。また、キーコードをコントローラ１０に送信する契機となる始動に伴なう操作は、ドアロックの解除であってもよい。更に、始動手段は、車両のイグニッションキーのほか、車両始動用のICカード等であってもよい。
【図面の簡単な説明】
【図１】  本発明の第１実施形態に係るハンズフリー電話装置の概略ブロック図である。
【図２】  図１に示したハンズフリーコントローラが実行するルーチン（プログラム）を示すフローチャートである。
【図３】  図１に示したハンズフリーコントローラが実行するルーチン（プログラム）を示すフローチャートである。
【図４】  図１に示したハンズフリーコントローラが実行するルーチン（プログラム）を示すフローチャートである。
【図５】  本発明の第２実施形態に係るハンズフリー電話装置の概略ブロック図である。
【図６】  図５に示したハンズフリーコントローラが実行するルーチン（プログラム）を示すフローチャートである。
【図７】  図５に示したハンズフリーコントローラが実行するルーチン（プログラム）を示すフローチャートである。
【符号の説明】
１０…ハンズフリーコントローラ、１１…マイクロフォン、１２…スピーカ、１３…ディスプレイ、１４…操作パネル、２０−１〜２０−ｎ…携帯電話機、３０…エンジンコントローラ、３１…キー（始動手段）、３１ａ…押ボタン。
【図１】
0004211223.tif 000002
【図２】
0004211223.tif 000003
【図３】
0004211223.tif 000004
【図４】
0004211223.tif 000005
【図５】
0004211223.tif 000006
【図６】
0004211223.tif 000007
【図７】
0004211223.tif 000008